(57)【要約】【課題】足上げ時に膝の内側が圧迫されることを軽減でき、かつ膝下の生地が内側に巻き込まれることを軽減できるズボンを提供する。【解決手段】ズボン１は、着用者の左足を前身頃４と、着用者の右足を覆う前身頃５とを備えている。前身頃４は、大腿部４ａと、下腿部４ｂと、膝線４ｃと、裾部４ｅとを含んでいる。前身頃５は、大腿部５ａと、下腿部５ｂと、膝線５ｃと、裾部５ｅとを含んでいる。下腿部４ｂは、膝線４ｃから裾部４ｅに向けて下腿部５ｂから離れるように大腿部４ａに対して傾斜している。下腿部５ｂは、膝線５ｃから裾部５ｅに向けて下腿部４ｂから離れるように大腿部５ａに対して傾斜している。【選択図】図１
2019167638.tif 000002
【特許請求の範囲】
【請求項１】
着用者の左足および右足を覆うズボンであって、
前記着用者の前記左足を覆う第１前身頃と、
前記着用者の前記右足を覆う第２前身頃とを備え、
前記第１前身頃は、前記左足の大腿を覆う第１大腿部と、前記左足の下腿を覆う第１下腿部と、前記第１大腿部と前記第１下腿部との境界を規定する第１膝線と、第１裾部とを含み、
前記第２前身頃は、前記右足の大腿を覆う第２大腿部と、前記右足の下腿を覆う第２下腿部と、前記第２大腿部と前記第２下腿部との境界を規定する第２膝線と、第２裾部とを含み、
前記第１下腿部は、前記第１膝線から前記第１裾部に向けて前記第２下腿部から離れるように前記第１大腿部に対して傾斜しており、
前記第２下腿部は、前記第２膝線から前記第２裾部に向けて前記第１下腿部から離れるように前記第２大腿部に対して傾斜している、ズボン。
【請求項２】
前記第１前身頃は、第１渡り線を含み、
前記第１渡り線に直交する第１直交線が左右方向において前記第１下腿部の中心を通る第１中心線に前記第１膝線上で交差するときに、前記第１直交線と前記第１中心線とが互いになす角度は１０度以上１５度以下であり、
前記第２前身頃は、第２渡り線を含み、
前記第２渡り線に直交する第２直交線が前記左右方向において前記第２下腿部の中心を通る第２中心線に前記第２膝線上で交差するときに、前記第２直交線と前記第２中心線とが互いになす角度は１０度以上１５度以下である、請求項１に記載のズボン。
【請求項３】
前記第１前身頃は、第１内股線と、第１脇線とを含み、
前記第１内股線の前記第１渡り線に交差する位置から前記第１裾部に交差する位置までの長さ寸法は、前記第１脇線の前記第１渡り線に交差する位置から前記第１裾部に交差する位置までの長さ寸法よりも大きく、
前記第２前身頃は、第２内股線と、第２脇線とを含み、
前記第２内股線の前記第２渡り線に交差する位置から前記第２裾部に交差する位置までの長さ寸法は、前記第２脇線の前記第２渡り線に交差する位置から前記第２裾部に交差する位置までの長さ寸法よりも大きい、請求項２に記載のズボン。
【発明の詳細な説明】
【技術分野】
【０００１】
本発明はズボンに関するものである。
【背景技術】
【０００２】
従来のズボンにおいては、装着者の左右の足を覆う各前身頃はそれぞれ一直線に伸びている。具体的には、従来のズボンにおいては、装着者の左右の足を覆う各前身頃の中心線はそれぞれ一直線に伸びている。
【発明の概要】
【発明が解決しようとする課題】
【０００３】
しかしながら、人体の左右の足はそれぞれ一直線に伸びていない。具体的には、人体の左右の足はそれぞれ膝が内側に向けて突き出すように屈曲している。そのため、従来のズボンでは、足上げ時に膝の内側部分がズボンの生地によって圧迫されるという問題がある。また、従来のズボンでは、足上げ時にズボンの膝下の生地が内側に巻き込まれるという問題がある。
【０００４】
本発明は上記課題に鑑みてなされたものであり、その目的は、足上げ時に膝の内側がズボンの生地によって圧迫されることを軽減でき、かつズボンの膝下の生地が内側に巻き込まれることを軽減できるズボンを提供することである。
【課題を解決するための手段】
【０００５】
本発明のズボンは、着用者の左足および右足を覆うズボンである。本発明のズボンは、着用者の左足を覆う第１前身頃と、着用者の右足を覆う第２前身頃とを備えている。第１前身頃は、左足の大腿を覆う第１大腿部と、左足の下腿を覆う第１下腿部と、第１大腿部と第１下腿部との境界を規定する第１膝線と、第１裾部とを含んでいる。第２前身頃は、右足の大腿を覆う第２大腿部と、右足の下腿を覆う第２下腿部と、第２大腿部と第２下腿部との境界を規定する第２膝線と、第２裾部とを含んでいる。第１下腿部は、第１膝線から第１裾部に向けて第２下腿部から離れるように第１大腿部に対して傾斜している。第２下腿部は、第２膝線から第２裾部に向けて第１下腿部から離れるように第２大腿部に対して傾斜している。
【発明の効果】
【０００６】
本発明によれば、足上げ時に膝の内側が圧迫されることを軽減でき、かつ膝下の生地が内側に巻き込まれることを軽減できるズボンを提供することができる。
【図面の簡単な説明】
【０００７】
【図１】本発明の実施の形態におけるズボンの正面図（ａ）および背面図（ｂ）である。
【図２】本発明の実施の形態におけるズボンおよび従来のズボンの左身頃の型紙であって、前身頃の型紙の正面図（ａ）および後身頃の型紙の背面図（ｂ）である。
【図３】人体の下肢の骨格を説明するための図である。
【図４】本発明の実施の形態におけるズボンおよび従来のズボンが装着者に装着された状態を示す正面図（ａ）および側面図（ｂ）である。
【発明を実施するための形態】
【０００８】
以下、図面を参照して、本発明の実施の形態について説明する。なお、特に言及しない限り、以下の図面において、同一または相当する部分には同一の参照符号を付し、その説明を繰り返さない。
【０００９】
図１（ａ）、（ｂ）および図２（ａ）、（ｂ）を参照して、本実施の形態におけるズボン１の構成について説明する。図１（ａ）はズボン１を前側から示しており、図１（ｂ）はズボン１を後側から示している。図２（ａ）、（ｂ）は本実施の形態におけるズボン１および従来のズボン１の左身頃２の型紙（パターン）を重ねて示している。また、図２（ａ）、（ｂ）では対比のために、本実施の形態におけるズボン１の型紙は実線で示されており、従来のズボン１の型紙は破線で示されている。図２（ａ）は左身頃２の前身頃４の型紙を前側から示しており、図２（ｂ）は左身頃２の後身頃６の型紙を後側から示している。なお、図２（ａ）、（ｂ）では縫い代は示されていない。また、図示されていないがズボン１の右身頃３の型紙は左身頃２の型紙に対して左右対称に構成されている。これらの型紙に基づいて生地が裁断され、裁断された生地が縫製されることによりズボン１が製造される。以下では、説明の便宜のため、ズボン１および型紙の各々の対応する部分に同一の名称および参照符号が付されている。
【００１０】
図１（ａ）、（ｂ）に示されるように、ズボン１は着用者の左足および右足を覆うように構成されている。ズボン１は左身頃２と右身頃３とを備えている。左身頃２は装着者の下肢の左側の部分に装着される。左身頃２は前身頃（第１前身頃）４と後身頃６とを備えている。前身頃４および後身頃６は装着者の左足を覆うように構成されている。右身頃３は装着者の下肢の右側の部分に装着される。右身頃３は前身頃（第２前身頃）５と後身頃７とを備えている。前身頃５および後身頃６は装着者の右足を覆うように構成されている。
【００１１】
図１（ａ）、（ｂ）および図２（ａ）、（ｂ）に示されるように、左身頃２の前身頃４は、大腿部（第１大腿部）４ａ、下腿部（第１下腿部）４ｂ、膝線（第１膝線）４ｃ、ウエスト部４ｄ、裾部（第１裾部）４ｅ、内股線（第１内股線）４ｆ、脇線（第１脇線）４ｇ、渡り線（第１渡り線）４ｈ、ヒップ線４ｉ、小股４ｊ、前中心４ｋを有している。大腿部４ａは左足の大腿を覆うように構成されている。下腿部４ｂは左足の下腿を覆うように構成されている。膝線４ｃは大腿部４ａと下腿部４ｂとの境界を規定する。膝線４ｃは膝に位置するように構成されている。膝線４ｃは膝蓋（膝頭）の上端と下端との間の少なくとも一部と重なるように配置されている。膝線４ｃから裾部４ｅまでの上下方向Ｄ１の長さＬ１は股下の上下方向Ｄ１の長さＬ２の半分の長さよりも大きくてもよい。膝線４ｃから裾部４ｅまでの上下方向Ｄ１の長さＬ１は股下の上下方向Ｄ１の長さＬ２の半分の長さよりも２ｃｍ以上４ｃｍ以下長くてもよい。ウエスト部４ｄは前身頃４の上縁に配置されている。裾部４ｅは前身頃４の下縁に配置されている。内股線４ｆは前身頃４の内縁に配置されている。脇線４ｇは前身頃４の外縁に配置されている。渡り線４ｈは大腿の付け根に位置するように構成されている。渡り線４ｈは前身頃４の幅が最も大きい位置に配置されている。ヒップ線４ｉは尻に対応する位置するように構成されている。小股４ｊは渡り線４ｈとヒップ線４ｉとを結ぶように構成されている。前中心４ｋはウエスト部４ｄとヒップ線４ｉとを結ぶように構成されている。内股線４ｆと渡り線４ｈと小股４ｊとは点４ｌで互いに交わっている。
【００１２】
左身頃２の前身頃４の中心線（第１中心線）ＣＬ１は上下方向Ｄ１に延びている。中心線ＣＬ１は左右方向Ｄ２において膝線４ｃの位置で内側に向けて突き出すように屈曲している。すなわち、中心線ＣＬ１は、くの字形になっている。膝線４ｃから裾部４ｅまでは前身頃４は中心線ＣＬ１で左右方向Ｄ２に均等に割り振られている。つまり、膝線４ｃから裾部４ｅまでの領域では中心線ＣＬ１に直交する方向において中心線ＣＬ１から内股線４ｆまでの寸法Ｗ１は中心線ＣＬ１から脇線４ｇまでの寸法Ｗ２と等しい。膝線４ｃからウエスト部４ｄまでの領域では中心線ＣＬ１に直交する方向において中心線ＣＬ１から内股線４ｆまでの寸法は中心線ＣＬ１から脇線４ｇまでの寸法よりも大きい。膝線４ｃからウエスト部４ｄまでの領域において、中心線ＣＬ１は膝線４ｃと中心線ＣＬ１との交点からウエスト部４ｄの所定の点とを結ぶように設けられている。この所定の点はウエスト部４ｄにおいて脇線４ｇから前中心４ｋに向かって所定の長さＬ３の位置に設けられている。この所定の長さＬ３は４ｃｍ以上９ｃｍ以下であってもよい。前身頃４の中心線ＣＬ１は右身頃３の後身頃６の中心線ＣＬ１に重なるように設けられている。
【００１３】
下腿部４ｂは、膝線４ｃから裾部４ｅに向けて後述する下腿部５ｂから離れるように大腿部４ａに対して傾斜している。渡り線４ｈに直交する直交線（第１直交線）ＯＬ１が左右方向Ｄ２において下腿部４ｂの中心を通る中心線ＣＬ１に膝線４ｃ上で交差するときに、直交線ＯＬ１と中心線ＣＬ１とが互いになす角度Ａ１は１０度以上１５度以下である。つまり中心線ＣＬ１は直交線ＯＬ１に対して傾斜している。中心線ＣＬ１の直交線ＯＬ１に対して傾斜する角度Ａ１の範囲は１０度以上１５度以下である。また、膝線４ｃからウエスト部４ｄまでの領域では前身頃４の中心線ＣＬ１と直交線ＯＬ１に平行な線ＯＬ３とが互いになす角度Ｂ１は２度以上６度以下である。
【００１４】
内股線４ｆの渡り線４ｈに交差する位置から裾部４ｅに交差する位置までの長さ寸法Ｍ１は、脇線４ｇの渡り線４ｈに交差する位置から裾部４ｅに交差する位置までの長さ寸法Ｍ２よりも大きい。つまり、内股線４ｆに沿う線の長さは、脇線４ｇの渡り線４ｈに交差する位置から裾部４ｅに交差する位置までの脇線４ｇに沿う線の長さよりも大きい。内股線４ｆの長さ寸法Ｍ１は脇線４ｇの長さ寸法Ｍ２よりも２ｃｍ以上４ｃｍ以下長くてもよい。
【００１５】
左身頃２の後身頃６は、大腿部６ａ、下腿部６ｂ、膝線６ｃ、ウエスト部６ｄ、裾部６ｅ、内股線６ｆ、脇線６ｇ、渡り線６ｈ、ヒップ線６ｉ、小股６ｊ、後中心６ｋを有している。大腿部６ａは左足の大腿を覆うように構成されている。下腿部６ｂは、左足の下腿を覆うように構成されている。膝線６ｃは、大腿部６ａと下腿部６ｂとの境界を規定する。ウエスト部６ｄは後身頃５の上縁に配置されている。裾部６ｅは後身頃６の下縁に配置されている。内股線６ｆは後身頃６の内縁に配置されている。脇線６ｇは後身頃６の外縁に配置されている。渡り線６ｈは大腿の付け根に位置するように構成されている。渡り線４ｈは後身頃６の幅が最も大きい位置に配置されている。ヒップ線６ｉは尻に位置するように構成されている。小股６ｊは渡り線６ｈとヒップ線６ｉとを結ぶように構成されている。後中心６ｋはウエスト部６ｄとヒップ線６ｉとを結ぶように構成されている。内股線６ｆと渡り線６ｈと小股６ｊとは点６ｌで互いに交わっている。
【００１６】
右身頃３の前身頃５は、大腿部（第２大腿部）５ａ、下腿部（第２下腿部）５ｂ、膝線（第２膝線）５ｃ、ウエスト部５ｄ、裾部（第２裾部）５ｅ、内股線（第２内股線）５ｆ、脇線（第２脇線）５ｇ、渡り線（第２渡り線）５ｈ、ヒップ線５ｉ、小股５ｊ、前中心５ｋを有している。大腿部５ａは右足の大腿を覆うように構成されている。下腿部５ｂは右足の下腿を覆うように構成されている。膝線５ｃは大腿部５ａと下腿部５ｂとの境界を規定する。膝線５ｃは膝に位置するように構成されている。膝線５ｃは膝蓋（膝頭）の上端と下端との間の少なくとも一部と重なるように配置されている。膝線５ｃから裾部５ｅまでの上下方向Ｄ１の長さは股下の上下方向Ｄ１の長さの半分の長さよりも大きくてもよい。膝線５ｃから裾部５ｅまでの上下方向の長さは股下の上下方向Ｄ１の長さの半分の長さよりも２ｃｍ以上４ｃｍ以下長くてもよい。ウエスト部５ｄは前身頃５の上縁に配置されている。裾部５ｅは前身頃５の下縁に配置されている。内股線５ｆは前身頃５の内縁に配置されている。脇線５ｇは前身頃５の外縁に配置されている。渡り線５ｈは大腿の付け根に位置するように構成されている。渡り線５ｈは前身頃５の幅が最も大きい位置に配置されている。ヒップ線５ｉは尻に対応する位置するように構成されている。小股５ｊは渡り線５ｈとヒップ線５ｉとを結ぶように構成されている。前中心５ｋはウエスト部５ｄとヒップ線５ｉとを結ぶように構成されている。内股線５ｆと渡り線５ｈと小股５ｊとは点５ｌで互いに交わっている。
【００１７】
右身頃３の前身頃５の中心線（第２中心線）ＣＬ１は上下方向Ｄ１に延びている。中心線ＣＬ１は左右方向Ｄ２において膝線５ｃの位置が内側に向けて突き出すように屈曲している。すなわち、中心線ＣＬ１は、くの字形になっている。膝線５ｃから裾部５ｅまでは前身頃５は中心線ＣＬ１で左右方向Ｄ２に均等に割り振られている。つまり、膝線５ｃから裾部５ｅまでの領域では中心線ＣＬ１に直交する方向において中心線ＣＬ１から内股線５ｆまでの寸法は中心線ＣＬ１から脇線５ｇまでの寸法と等しい。膝線５ｃからウエスト部５ｄまでの領域では中心線ＣＬ１に直交する方向において中心線ＣＬ１から内股線５ｆまでの寸法は中心線ＣＬ１から脇線５ｇまでの寸法よりも大きい。膝線５ｃからウエスト部５ｄまでの領域において、中心線ＣＬ１は膝線５ｃと中心線ＣＬ１との交点からウエスト部５ｄの所定の点とを結ぶように設けられている。この所定の点はウエスト部５ｄにおいて脇線５ｇから前中心５ｋに向かって所定の長さの位置に設けられている。この所定の長さは４ｃｍ以上９ｃｍ以下であってもよい。前身頃５の中心線ＣＬ１は後身頃７の中心線ＣＬ１に重なるように設けられている。
【００１８】
下腿部５ｂは、膝線５ｃから裾部５ｅに向けて下腿部４ｂから離れるように大腿部５ａに対して傾斜している。渡り線５ｈに直交する直交線（第２直交線）ＯＬ２が左右方向Ｄ２において下腿部５ｂの中心を通る中心線ＣＬ１に膝線５ｃ上で交差するときに、直交線ＯＬ２と中心線ＣＬ１とが互いになす角度Ａ２は１０度以上１５度以下である。つまり中心線ＣＬ１は直交線ＯＬ２に対して傾斜している。中心線ＣＬ１の直交線ＯＬ２に対して傾斜する角度Ａ２の範囲は１０度以上１５度以下である。また、膝線４ｃからウエスト部６ｄまでの領域では前身頃５の中心線ＣＬ１と直交線ＯＬ２に平行な線ＯＬ４とが互いに成る角度Ｂ２は２度以上６度以下である。
【００１９】
内股線５ｆの渡り線５ｈに交差する位置から裾部５ｅに交差する位置までの長さ寸法Ｍ３は、脇線５ｇの渡り線５ｈに交差する位置から裾部５ｅに交差する位置までの長さ寸法Ｍ４よりも大きい。つまり、内股線５ｆに沿う線の長さは、脇線５ｇの渡り線５ｈに交差する位置から裾部５ｅに交差する位置までの脇線５ｇに沿う線の長さよりも大きい。内股線５ｆの長さ寸法Ｍ３は脇線５ｇの長さ寸法Ｍ４よりも２ｃｍ以上４ｃｍ以下長くてもよい。
【００２０】
右身頃３の後身頃７は、大腿部７ａ、下腿部７ｂ、膝線７ｃ、ウエスト部７ｄ、裾部７ｅ、内股線７ｆ、脇線７ｇ、渡り線７ｈ、ヒップ線７ｉ、小股７ｊ、後中心７ｋを有している。大腿部７ａは右足の大腿を覆うように構成されている。下腿部７ｂは左足の下腿を覆うように構成されている。膝線７ｃは大腿部７ａと下腿部７ｂとの境界を規定する。ウエスト部７ｄは後身頃７の上縁に配置されている。裾部７ｅは後身頃７の下縁に配置されている。内股線７ｆは後身頃７の内縁に配置されている。脇線７ｇは後身頃７の外縁に配置されている。渡り線７ｈは大腿の付け根に位置するように構成されている。渡り線７ｈは後身頃７の幅が最も大きい位置に配置されている。ヒップ線７ｉは尻に位置するように構成されている。小股７ｊは渡り線７ｈとヒップ線７ｉとを結ぶように構成されている。後中心７ｋはウエスト部７ｄとヒップ線７ｉとを結ぶように構成されている。内股線７ｆと渡り線７ｈと小股７ｊとは点７ｌで互いに交わっている。
【００２１】
本実施の形態におけるズボン１の各部分の寸法を例示する。ウエストの寸法は８０ｃｍであり、ヒップの寸法は９８ｃｍであり、股上の寸法（図３の長さＬ４）は２４．７ｃｍであり、股下の寸法（図３の長さＬ２）は７５ｃｍであり、渡り巾（図３の渡り線４ｈの長さ）は３２ｃｍであり、膝巾（図３の膝線４ｃの長さ）は２１ｃｍであり、裾巾（図３の裾部４ｅの長さ）は１５ｃｍである。
【００２２】
続いて、図３を参照して、人体の下肢１００の骨格について説明する。図３は人体の腰および左足を示している。人体の下肢１００においては、腰１０１に位置する骨盤１０２に大腿１０３に位置する大腿骨１０４が接続されており、大腿骨１０４に下腿１０５に位置する脛骨１０６が接続されている。大腿１０３と下腿１０５との接続部分である膝１０７に膝蓋骨１０８が位置している。膝蓋骨１０８は大腿骨１０４の下端に位置している。大腿１０３と下腿１０５とは膝１０７で内側に屈曲するように接続されている。すなわち、左足は、左足の中心線ＡＬで示されるように、膝が内側に向けて突き出すように屈曲している。そのため、左足を上げたときなど左足を曲げたときに、膝の内側は外側よりも伸びる量が大きくなる。
【００２３】
図４（ａ）、（ｂ）を参照して、本実施の形態におけるズボン１が装着者に装着された状態について説明する。図４（ａ）、（ｂ）では対比のために、本実施の形態におけるズボン１は実線で示されており、人体の下肢１００は破線で示されており、従来のズボン１は破線で示されている。図４（ａ）に示されるように、本実施の形態におけるズボン１では、前身頃４の中心線ＣＬ１は左右方向Ｄ２において膝線４ｃの位置が内側に向けて突き出すように屈曲している。これにより、本実施の形態におけるズボン１によれば、前身頃４の中心線ＣＬ１を左足の中心線ＡＬにあわせることが可能となる。
【００２４】
また、図４（ａ）、（ｂ）に示されるように、本実施の形態におけるズボン１では、前身頃４の中心線ＣＬ１を左足の中心線ＡＬにあわせることにより、ヒップ、内股下、前膝下および後膝裏周辺のゆとり（ダブ付き）を小さくすることが可能となる。
【００２５】
次に本実施の形態におけるズボン１の作用効果を従来のズボン１と対比して説明する。
図２（ａ）、（ｂ）および図４（ａ）、（ｂ）に示されるように、従来のズボン１においては、大腿部１４ａ、下腿部１４ｂおよび膝線１４ｃは一直線に配置されている。また、大腿部１６ａ、下腿部１６ｂおよび膝線１６ｃは一直線に配置されている。したがって、装着者の左足を覆う前身頃４の中心線ＣＬ２は一直線に伸びている。他方、図３に示されるように、装着者の左足は、左足の中心線ＡＬで示されるように、膝が内側に向けて突き出すように屈曲している。そのため、左足を上げたときなど左足を曲げたときに、膝の内側は外側よりも伸びる量が大きくなる。したがって、従来のズボン１では、足上げ時に膝の内側がズボン１の生地によって圧迫される。また、従来のズボン１では、足上げ時にズボン１の膝下の生地が内側に巻き込まれる。
【００２６】
これに対して、本実施の形態におけるズボン１によれば、下腿部４ｂは、膝線４ｃから裾部４ｅに向けて下腿部５ｂから離れるように大腿部４ａに対して傾斜している。つまり前身頃４の中心線ＣＬ１は左右方向Ｄ２において膝線４ｃの位置が内側に向けて突き出すように屈曲している。また、下腿部５ｂは膝線５ｃから裾部５ｅに向けて下腿部４ｂから離れるように大腿部５ａに対して傾斜している。つまり、前身頃５の中心線ＣＬ１は左右方向Ｄ２において膝線５ｃの位置が内側に向けて突き出すように屈曲している。このため、膝の内側の生地を外側の生地よりも長くすることができる。これにより、足上げ時に膝の内側が圧迫されることを軽減でき、かつ膝下の生地が内側に巻き込まれることを軽減できる。よって、足運びがスムーズになるため、歩行および走行し易くなる。
【００２７】
なお、単純にズボン１の膝巾を増やした場合には、膝の内側の生地と外側の生地の長さは等しいため、足上げ時に膝の内側が圧迫されることを軽減することは困難であり、膝下の生地が内側に巻き込まれることを軽減することも困難である。
【００２８】
本実施の形態におけるズボン１によれば、ヒップ、内股下、前膝下および後膝裏周辺のゆとり（ダブ付き）を小さくすることが可能となるため、シルエットを細身にすることができる。これにより、デザイン性を向上することができる。また、太腿、ふくらはぎの運動時の膨張を適度にサポートすることが可能となる。また、ズボン１を足の自然な形状に近づけることで歩行時でも生地の捩れおよびダブ付きが少なくなるため無駄なしわが起こりにくい。したがって、アスレチック等の運動面でも、風による抵抗を体から受け流すことができ、さらに体を巻き込む空気の流れを推進力に活用できる。
【００２９】
本実施の形態におけるズボン１によれば、直交線ＯＬ１と中心線ＣＬ１とが互いになす角度Ａ１は１０度以上１５度以下であり、直交線ＯＬ２と中心線ＣＬ１とが互いになす角度Ａ２は１０度以上１５度以下である。これらの角度Ａ１、Ａ２により、特に、足上げ時に膝の内側が圧迫されることを軽減でき、かつ膝下の生地が内側に巻き込まれることを軽減できる。
【００３０】
本実施の形態におけるズボン１によれば、内股線４ｆの長さ寸法Ｍ１は脇線４ｇの長さ寸法Ｍ２よりも大きく、内股線５ｆの長さ寸法Ｍ３は脇線５ｇの長さ寸法Ｍ４よりも大きい。したがって、膝の内側の生地を外側の生地よりも長くすることができる。
【００３１】
本実施の形態におけるズボン１は、スーツ、カジュアルウェア、スポーツウェアなどに適用することができる。
【００３２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００３３】
１  ズボン、２  左身頃、３  右身頃、４，５  前身頃、４ａ，５ａ，６ａ，７ａ  大腿部、４ｂ，５ｂ，６ｂ，７ｂ  下腿部、４ｃ，５ｃ，６ｃ，７ｃ  膝線、４ｄ，５ｄ，６ｄ，７ｄ  ウエスト部、４ｅ，５ｅ，６ｅ，７ｅ  裾部、４ｆ，５ｆ，６ｆ，７ｆ  内股線、４ｇ，５ｇ，６ｇ，７ｇ  脇線、４ｈ，５ｈ，６ｈ，７ｈ  渡り線、６，７  後身頃、Ａ１，Ａ２，Ｂ１，Ｂ２  角度、ＡＬ，ＣＬ１，ＣＬ２  中心線、Ｄ１  上下方向、Ｄ２  左右方向、Ｍ１，Ｍ２，Ｍ３，Ｍ４  長さ寸法、ＯＬ１，ＯＬ２  直交線。
【図１】
2019167638.tif 000003
【図２】
2019167638.tif 000004
【図３】
2019167638.tif 000005
【図４】
2019167638.tif 000006
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
着用者の左足および右足を覆うズボンであって、
前記着用者の前記左足を覆う第１前身頃と、
前記着用者の前記右足を覆う第２前身頃とを備え、
前記第１前身頃は、前記左足の大腿を覆う第１大腿部と、前記左足の下腿を覆う第１下腿部と、前記第１大腿部と前記第１下腿部との境界を規定する第１膝線と、第１裾部とを含み、
前記第２前身頃は、前記右足の大腿を覆う第２大腿部と、前記右足の下腿を覆う第２下腿部と、前記第２大腿部と前記第２下腿部との境界を規定する第２膝線と、第２裾部とを含み、
前記第１下腿部は、前記第１膝線から前記第１裾部に向けて前記第２下腿部から離れるように前記第１大腿部に対して傾斜しており、
前記第２下腿部は、前記第２膝線から前記第２裾部に向けて前記第１下腿部から離れるように前記第２大腿部に対して傾斜しており、
前記第１前身頃の第１中心線は、上下方向に延びており、左右方向において前記第１膝線の位置が内側に向けて突き出すように屈曲しており、くの字形になっており、
前記第２前身頃の第２中心線は、前記上下方向に延びており、前記左右方向において前記第２膝線の位置が内側に向けて突き出すように屈曲しており、くの字形になっている、ズボン。
【請求項２】
前記第１前身頃は、第１渡り線を含み、
前記第１渡り線に直交する第１直交線が前記左右方向において前記第１下腿部の中心を通る前記第１中心線に前記第１膝線上で交差するときに、前記第１直交線と前記第１中心線とが互いになす角度は１０度以上１５度以下であり、
前記第２前身頃は、第２渡り線を含み、
前記第２渡り線に直交する第２直交線が前記左右方向において前記第２下腿部の中心を通る前記第２中心線に前記第２膝線上で交差するときに、前記第２直交線と前記第２中心線とが互いになす角度は１０度以上１５度以下である、請求項１に記載のズボン。
【請求項３】
前記第１前身頃は、第１内股線と、第１脇線とを含み、
前記第１内股線の前記第１渡り線に交差する位置から前記第１裾部に交差する位置までの長さ寸法は、前記第１脇線の前記第１渡り線に交差する位置から前記第１裾部に交差する位置までの長さ寸法よりも大きく、
前記第２前身頃は、第２内股線と、第２脇線とを含み、
前記第２内股線の前記第２渡り線に交差する位置から前記第２裾部に交差する位置までの長さ寸法は、前記第２脇線の前記第２渡り線に交差する位置から前記第２裾部に交差する位置までの長さ寸法よりも大きく、
前記第１内股線の長さ寸法は前記第１脇線の長さ寸法よりも２ｃｍ以上４ｃｍ以下長く、
前記第２内股線の長さ寸法は前記第２脇線の長さ寸法よりも２ｃｍ以上４ｃｍ以下長い、請求項２に記載のズボン。
【手続補正２】
【補正対象書類名】明細書
【補正対象項目名】０００５
【補正方法】変更
【補正の内容】
【０００５】
本発明のズボンは、着用者の左足および右足を覆うズボンである。本発明のズボンは、着用者の左足を覆う第１前身頃と、着用者の右足を覆う第２前身頃とを備えている。第１前身頃は、左足の大腿を覆う第１大腿部と、左足の下腿を覆う第１下腿部と、第１大腿部と第１下腿部との境界を規定する第１膝線と、第１裾部とを含んでいる。第２前身頃は、右足の大腿を覆う第２大腿部と、右足の下腿を覆う第２下腿部と、第２大腿部と第２下腿部との境界を規定する第２膝線と、第２裾部とを含んでいる。第１下腿部は、第１膝線から第１裾部に向けて第２下腿部から離れるように第１大腿部に対して傾斜している。第２下腿部は、第２膝線から第２裾部に向けて第１下腿部から離れるように第２大腿部に対して傾斜している。第１前身頃の第１中心線は、上下方向に延びており、左右方向において第１膝線の位置が内側に向けて突き出すように屈曲しており、くの字形になっている。第２前身頃の第２中心線は、上下方向に延びており、左右方向において第２膝線の位置が内側に向けて突き出すように屈曲しており、くの字形になっている。